(57)【要約】      （修正有）【課題】無線送受信部の機能を妨げない照明器具を提供する。【解決手段】照明器具は、本体１と、本体に取付けられ、天井等に設置する設置部２２を有するアーム２と、本体の前面側に設けられる光源部３と、本体の背面側に設けられる放熱器４と、前記設置部および前記放熱器と離間して設けられる金属製電源筐体５と、電源筐体に設けられる切り欠き部５１と、電源筐体の内部に設けられ、切り欠き部から露出して無線信号の送受信を行う無線送受信部５２と、を有する。【選択図】図６
2018147707.tif 000002
【特許請求の範囲】
【請求項１】
本体と；
前記本体に取付けられ、天井等に設置する設置部を有するアームと；
前記本体の前面側に設けられる光源部と；
前記本体の背面側に設けられる放熱器と；
前記設置部および前記放熱器と離間して設けられる金属製電源筐体と；
前記電源筐体に設けられる切り欠き部と；
前記電源筐体の内部に設けられ、前記切り欠き部から露出して無線信号の送受信を行う無線送受信部と；
を有することを特徴とする照明器具。
【請求項２】
前記電源筐体は前面および背面を有し、前記切り欠き部は、前記電源筐体の前面または背面に設けられることを特徴とする、請求項１に記載の照明器具。
【請求項３】
前記切り欠き部は、前記本体側面から見て前記アームに重ならない位置に設けられることを特徴とする、請求項１および請求項２のいずれかに記載の照明器具。
【請求項４】
前記電源筐体内部に配設される電源装置に外部電源を供給するための電源端子は、前記無線送受信部と離間して配設されることを特徴とする請求項１ないし請求項３いずれかに記載の照明器具。
【請求項５】
前記無線送受信部は、前記切り欠き部を塞ぐように設けられることを特徴とする請求項１ないし請求項４いずれかに記載の照明器具。
【請求項６】
前記切り欠き部は、前記無線送受信部に記載された識別情報を確認可能な大きさに形成されていることを特徴とする、請求項１ないし請求項５のいずれかに記載の照明器具。
【発明の詳細な説明】
【技術分野】
【０００１】
本発明は、無線信号により制御可能な照明器具に関する。
【背景技術】
【０００２】
従来、倉庫や体育館などの天井に取付けられる、LED等の発光素子を用いた発光モジュールを備えた照明器具が知られている。
【０００３】
このような器具は、高所に設置されるためメンテナンスを頻繁に行うことが難しい。そのため、経年して器具の隙間に埃や虫が入り込むことが課題となっていた。
【０００４】
また従来、室内照明では無線信号を受信する受信部および無線信号に応じた制御信号を出力する制御部を有する制御装置を備えた照明器具が知られている。無線信号対応の制御装置は金属製の筐体などの遮蔽物で覆われると無線信号の送受信を行いづらくなることが知られている。
【０００５】
このような制御装置を備えた照明器具では、無線信号の受信および出力を妨げず、効率よく行える位置に制御装置を配置することが求められている。
【先行技術文献】
【特許文献】
【０００６】
【特許文献１】特開２０１６−１６２７０６号公報
【特許文献２】特開２０１７−１０８４８号公報
【発明の概要】
【発明が解決しようとする課題】
【０００７】
本発明が解決しようとする課題は、無線送受信部の機能を妨げない照明器具を提供することである。
【課題を解決するための手段】
【０００８】
本発明の実施形態である照明器具は、本体と、前記本体に取付けられ、天井等に設置する設置部を有するアームと、前記本体の前面側に設けられる光源部と、前記本体の背面側に設けられる放熱器と、前記設置部および前記放熱器と離間して設けられる金属製電源筐体と、前記電源筐体に設けられる切り欠き部と、前記電源筐体の内部に設けられ、前記切り欠き部から露出して無線信号の送受信を行う無線送受信部と、を有する。
【発明の効果】
【０００９】
本発明によれば、無線送受信部の機能を妨げない照明器具を提供することが可能である。
【図面の簡単な説明】
【００１０】
【図１】本発明の実施形態における照明器具の一例を示す斜視図である。
【図２】本発明の実施形態における照明器具の一例を示す上面図である。
【図３】本発明の実施形態における照明器具の一部を示す回路図である。
【図４】本発明の実施形態における照明器具を用いた照明システムを模式的に表した説明図である。
【図５】本発明の実施形態における無線送受信部およびエリアコントローラにおける無線信号の電波状態および送受信を行いやすい配置を示した模式図である。
【図６】本発明の第二の実施形態の一例を示す斜視図である。
【発明を実施するための形態】
【００１１】
以下、本発明における実施形態の構成を、図１ないし図６を参照して説明する。なお、本発明の実施形態である照明器具の説明について、発光面側を前面側、天井等の設置場所に取付けられる側を背面側として説明を行う。
【００１２】
図１および図２に示す本発明の実施形態である照明器具は、略矩形板状に形成された金属製の本体1の前面側にLED（Light Emitting Diode）などの発光素子31が配設された光源部3が設けられる。本体1の中央付近には、外部電源eからの電源を光源部3へ供給するための不図示のケーブルを通す中央孔（不図示）が形成されている。
【００１３】
本体1の背面側には、光源部3から発生した熱を放熱するための放熱器4が熱的に接続するよう設けられる。放熱器4は、アルミニウムなど放熱性に優れた金属で形成される。また放熱器4は、略長方形の薄板状である放熱フィンが複数枚、本体1の背面側へ突出するように並列配置されて形成される。放熱フィンは長辺と短辺を有する。放熱フィンは一方の長辺を本体1の背面側に接続され、他方の長辺は後述の水平部112と離間するように配設される。また、放熱器4の中央付近には、本体1の中央孔と後述のケーブル孔56に通すケーブルの位置を定めて支持するため、不図示のケーブル支えフィンが本体背面側に突出するように設けられる。
【００１４】
また、図１および図２に示す実施形態では、本体1の側面にネジ止めなどで接続される、金属製の取付板11が設けられる。取付板11は、本体1の角である四隅に対応する位置に、四本の脚部111を有する。また、取付板11は四本の脚部111に接続して背面側に配設される水平部112を有する。さらに取付板11は、水平部112の一部を延伸して背面側へ曲折した取付部113を有する。水平部112の中央付近には、光源部3と後述の電源装置54を電気的に接続するためのケーブル等を通すため、ケーブル孔56が設けられる。
【００１５】
アーム2は、薄板状の鉄やアルミニウムといった金属によって形成される。また、アーム2は、本体1の背面側方向に延伸する面である一対の垂下部21と、一対の垂下部21の背面側に渡って設けられる設置部22を有する。垂下部21は取付部113にネジ止めされる。垂下部21と取付板11の接続箇所である取付部113には、器具固定のためのネジ孔および照明器具の角度を調整して固定するための略円弧状の長孔が設けられている。
【００１６】
アーム2は、設置部22が天井等に取付けられることで照明器具全体の重量を支持する。アーム2は、設置部22の縁部を前面側へ、垂下部21の縁部を対向する垂下部21方向へ曲折するなどして強度の向上を図ってもよい。また、アーム2の設置部22は、背面から見たときに、略凹レンズ断面状の形状となるように部材にくびれを形成するなどして、部材の材料削減と軽量化の効果を高めてもよい。同様に、アーム2の垂下部21は、接続箇所の長孔が見える側面から見たときに、略凹レンズ断面状の形状となるように部材にくびれを形成するなどして、部材の材料削減と軽量化の効果を高めてもよい。
【００１７】
アーム2は、図１の実施形態において、垂下部21が取付部113に取付けられる。
【００１８】
また、図１に示す実施形態では、水平部112の背面側には、アルミニウムなど軽量で放熱性に優れた金属で形成された、略直方体形状の電源筐体5が設けられる。電源筐体5は、アーム2の一対の垂下部21の間かつ、設置部22より前面側に、設置部22とは離間して配設される。
【００１９】
図１における実施形態では、電源筐体5は前面が開口した略直方体形状に形成される。電源筐体5前面の開口は、水平部112によって覆うようにして設けられ、電源筐体5の側面から一部延伸させた電源筐体延伸部50を曲折して水平部112にネジ止めするなどして固定する。
【００２０】
図２に示すように、電源筐体5には、アームに重ならない側面に電源端子55が備えられる。電源端子55は、外部電源eと電気的に接続し、後述の電源装置54に電源を供給する。電源端子55は、電源筐体5の側面の内の一面に設けられたくぼみに配設される。図２では、電源筐体5のくぼみの背面側が透過して描かれているが、このくぼみは電源端子55と外部電源eとの接続部を収納可能な大きさに形成され、電源筐体5の背面側が電源端子55と外部電源eとの接続部の背面側を覆う形状となっている。
【００２１】
この構造により、電気的な接続部である電源端子55が電源筐体5の外側へ突出しないため、障害物などに衝突する危険性が低くなり、安全性が高まる。なお、電源端子55は、電源筐体5の外部、例えば電源端子5の背面側に設けられてもよい。その場合、電源筐体5の形状が簡易なものとなるため製造性が向上する。
【００２２】
また、図２に示すように、電源筐体5の背面には、略矩形の切り欠き部51が形成される。切り欠き部51は、器具の背面側から見て、アーム2に重ならない位置に形成される。切り欠き51が背面から見てアーム2に重ならない位置に設けられることにより、金属製のアーム2に後述の無線信号を遮られにくくなり、無線信号の送受信を行いやすい。
【００２３】
また、後述の無線信号は図５に示すように、後述の無線送受信部52の前面および背面方向に通信しやすい領域を有する。電源筐体5の背面はアーム2の設置部22と離間して設けられるため、切り欠き部51および無線送受信部52が電源筐体5の背面側に設けられた際、無線送受信部52による無線信号の送受信を金属製部材によって妨げられにくくなる。
【００２４】
また、電源筐体5の前面は放熱器4と離間して設けられるため、切り欠き部51および無線送受信部52が、電源筐体5の前面に設けられた際、金属製部材によって無線信号の送受信を妨げられにくくなる。最も好ましい配置としては、切り欠き部51および無線送受信部52は、電源筐体5の背面かつ側面から見てアーム2と重ならない位置に設けられる。この構造により、無線送受信部52は、切り欠き部51から背面側へ無線の送受信を行えるとともに、水平部112の中央付近に設けられたケーブル孔56から前面側へ無線の送受信を行えるため、無線信号の送受信を行える範囲が広く、効率がよい。
【００２５】
次に、電源筐体5の内部構成について説明する。
【００２６】
電源筐体5の内部には、外部電源eと接続して光源部3の点灯制御を行う電源装置54が設けられる。また、切り欠き部51から露出する位置に、外部からの無線信号の受信や無線信号の送信を行う無線送受信部52が設けられる。さらに、無線送受信部52の受信した信号を変換して電源装置54に出力する無線制御部53が配設される。この無線制御部53は、例えばネジ止めなどにより、電源筐体5の内部に取付けられる。このとき、無線制御部53の取り付けられる位置は電源筐体5に覆われる位置であればよく、電源筐体5内部の前面、背面および側面のいずれに配設されてもよい。望ましい形態としては、無線制御部53が無線送受信部52の近傍に配設されることで無線制御部53および無線送受信部52との配線が簡略化されるため、部材の削減や組立性の向上が見込める。この無線制御部53は、例えば図２に示すように、電源である外部電源eに対して接続された例えばダイオードブリッジなどの整流素子（全波整流素子）REC、電解コンデンサなどの図示しない平滑素子、トランスTr、FETなどのスイッチ素子Q、制御回路531、および整流平滑回路532などを備える。
【００２７】
また、無線送受信部52は、電源端子55と離間して、電源端子55が備えられた側面と対向する側面寄りの位置に配設される。具体的には、背面から見て、無線送受信部52と電源端子55との間に、無線制御部53あるいは電源装置54あるいはその両方が設けられる。
【００２８】
このように電源筐体5内部において、電源端子55と無線送受信部52を離間させて配置することにより、無線送受信部52は電磁波の影響を受けにくくなるため、送受信する信号のノイズ影響を低減できる。
【００２９】
また、最も好ましい配置としては、無線送受信部52は切り欠き部51を内部から塞ぐように設けられる。このとき、無線送受信部52は、切り欠き部51と略同一平面を形成するように備えられて器具の美観を高めてもよいし、切り欠き部51より外部に突出するよう形成されてもよい。これにより、無線送受信部52は切り欠き部51より外側に向けて無線信号の送受信を行いやすくなる。
【００３０】
またこのとき、切り欠き部51を電源筐体5の側面や、電源筐体5の前面を覆う水平部112の一部に設け、切り欠き部51に対応する位置に無線送受信部52を配置することにより、電源筐体5の内部に埃が入りにくい構造としてもよい。切り欠き部51が電源筐体5の側面に設けられる場合、切り欠き部51はアームに重ならない側面に設けられるため、外部に無線信号を妨げる部材が少なく、無線信号の送受信を行いやすい。切り欠き部51を電源筐体5の側面に設けられる場合、最も望ましい位置としては、アーム2の垂下部21側でない電源筐体5の側面に設けられる。最も周囲に金属部材が少なくなる配置だからである。また、切り欠き部51が電源筐体5の前面開口を覆う水平部112に設けられる場合は、無線送受信部52は放熱器4と離間して設けられる。そのため、無線送受信部52からの無線信号の送受信は妨げられず、器具外観の意匠性を高めることが可能となる。
【００３１】
切り欠き部51および無線送受信部52が水平部112に設けられる場合、無線送受信部52が放熱器4と離間しているため、図５に示すような、無線送受信部52の前面および背面方向への無線信号の送受信を妨げない。望ましい位置としては、切り欠き部51は、電源筐体5の背面外縁に沿う位置に略矩形に設けられる。この構造によれば、金属製である器具が周囲に少ないため、より効率よく無線信号の送受信が行える。
【００３２】
また、切り欠き部51は電源筐体5の面の一部であればよいので、例えば3面の接する角部を削るように設けて意匠性を高めてもよいし、２面の接する角部を切り欠いて２側面に無線送受信部52が露出するように設け、無線送受信部52における無線信号の送受信効率を高めてもよい。
【００３３】
なお、無線送受信部52の露出とは、切り欠き部51が設けられた面側から電源筐体5および水平部112を見た際に、無線送受信部52が見えるように配設される状態を指す。つまり、無線送受信部52は、切り欠き51より電源筐体5の内部に奥まって設けられてもよいし、一部が切り欠き部51より外部に突出するように設けられてもよい。無線送受信部51が切り欠き部51より電源筐体5の内部に奥まって設けられる場合、無線送受信部52は障害物などに衝突することがなく、変形防止となる。また、無線送受信部52が切り欠き51より外部に一部突出しても受けられる場合は、より無線信号の送受信効率が高まると考えられる。
【００３４】
次に、無線送受信部52関して説明する。
【００３５】
無線送受信部52は、無線信号を遮断しない（透過する）樹脂製の筐体などで覆われた、例えば略直方体形状に形成される。このとき、無線送受信部52を覆う樹脂製筐体は、照明器具が倉庫の天井等の、外部から天井付近が日光に照射される、もしくは外気の影響を受けやすいため、高温となりやすい場所に設置された際にも、熱によって筐体が変形しにくい素材からなる。
【００３６】
また、無線送受信部52は、例えば切り欠き部51より広い面積として形成される一対の面を有する。それ以外の無線送受信部52の側面である４つの面は、切り欠き部51より狭い面積の面として、無線送受信部52は、略板状の外形として形成される。無線送受信部52は、切り欠き部51から露出する面に、英数字やバーコードなどの部品番号を示す識別情報（不図示）が記載される。
【００３７】
本実施形態の、無線送受信部52の内部に配設される無線信号を送受信する素子は、図５に示すように、無線送受信部52の前面および背面の両方向外部に無線信号を発信するように設けられる。
【００３８】
次に、本実施形態の照明器具を用いた無線制御を用いた照明システムについて説明する。
【００３９】
無線送受信部52は、図３および図５に示すように、例えば倉庫の天井などの取付対象に取付けられたアクセスポイントとしての制御親機であるエリアコントローラECを介して、スマートフォンやタブレットPCなどの操作入力部である端末機（携帯端末機）Tと無線通信を行う無線LANデバイスである。本実施形態における無線送受信部511による無線通信の周波数は、例えば９２０MHz 、あるいは２．４GHzなどの一般的な規格のものが用いられる。従って、波長は光速を周波数で割った値として求められるため、本実施形態の無線信号に用いられる波長は約３２０mm、あるいは約１２５mmである。
【００４０】
無線制御部53は、無線送受信部52の動作を制御し、この無線送受信部52により受信した無線信号をメモリするとともに、この無線信号により電源装置54を介して光源部3を制御する。
【００４１】
外部電源eとしては、例えば商用交流電源が用いられるが、その他の任意の交流外部電源、あるいは直流外部電源などを用いることもできる。このときには、整流素子RECおよび平滑素子は不要となる場合もある。
【００４２】
トランスTrは、一次巻線と二次巻線とを備えており、整流素子RECの出力側に対して、平滑素子、一次巻線およびスイッチ素子Qの直列回路が接続されている。また、このトランスTrの二次巻線には、整流平滑回路532を介して、無線送受信部52に供給する電力を制御するものである。
【００４３】
制御回路531は、スイッチ素子Qの開閉を制御することで無線送受信部52および光源部3に供給する電力を制御するものである。この制御回路531としては、例えばマイコンなどの制御用ICが用いられる。
【００４４】
整流平滑回路532は、例えば整流素子であるダイオードDおよび平滑コンデンサCにより構成されている。
【００４５】
図３に示すように、電源装置54は、外部電源eから供給される電力を光源部3に対応した電圧または電流に変換して、光源部3に供給する。また、この電源装置54は、例えばネジ止めなどにより、電源筐体5の内部に取付けられる。
【００４６】
図３に示す電源装置54は、光源部3と接続され、無線送受信部52により受信した無線信号に応じて無線制御部53により動作が制御されて光源部3を調光点灯するように構成されている。
【００４７】
次に、エリアコントローラについて説明する。
【００４８】
無線送受信部52は、図５に示すように、水平に配設された際、切り欠き部51より広い面積である一対の面方向（前面および背面方向）へ、略凸レンズ状に無線信号を発信あるいは受信するよう形成される。また、図５に示すようにエリアコントローラECは天井などに水平に設置され、無線信号によって図４に示すように端末機Tと無線送受信部52を仲介する。
【００４９】
エリアコントローラECは、本実施形態の無線送受信部52と同様の無線送受信部を備える。そのため、図５に示すように、天井面等に設置されたエリアコントローラECと本発明の実施形態に備えられる無線送受信部52は、互いに水平な位置に設けられることが望ましい。そのため、切り欠き部51および無線送受信部52は、電源筐体5の前面あるいは背面に設けられることが望ましい。
【００５０】
このとき、水平部112の中央部にはケーブル孔56が空いているため、より無線信号の送受信が行いやすい形態としては、切り欠き部51および無線送受信部52は、電源筐体5の背面側に設けられる。これにより、図５に示すような前面および背面への無線信号送受信領域を金属製部材によって妨げず、広域に渡っての無線通信が可能となる。
【００５１】
また、アーム2の垂下部21の側面側から見て垂下部21と重ならない位置に切り欠き部51が形成されることにより、切り欠き部51を通じて無線送受信部52が送受信する無線信号を金属製のアーム2に遮蔽されない分、広範囲に発信することができるため、照明器具の無線制御効率が向上する。
【００５２】
切り欠き部51は、無線送受信部52を備えた樹脂性筐体の外部に記載されたバーコードなどの部品番号を示すアドレスを確認できる大きさに形成される。確認できる大きさとは、器具の製造者や施工作業者といった人が視認できる大きさか、赤外線バーコードリーダーなどの機械で読み込める大きさの両方を指す。これにより、組立や点検作業などの効率化が図れる。
【００５３】
切り欠き部51は、無線信号の送受信が可能な大きさであれば矩形でなくともよい。例えば、切り欠き部51をケーブル孔56と一体として形成し、無線送受信部52からの無線信号の送受信を可能とするとともに、光源部3と電源装置を接続するケーブルを配設可能なように設けてもよい。この構造によれば、水平部112に設ける孔は一つでよいため、構造が簡易になり、製造効率も高まる。このとき、切り欠き部51を兼ねるケーブル孔56は、無線信号の送受信効率を高めるために、水平部112の、器具側面から見てアーム2に重ならない位置に設けられてもよいし、器具のバランスや配線のしやすさを考慮して水平部112の中央付近に設けられてもよい。
【００５４】
また、最低限無線信号の送受信が可能な、無線信号波長の1/4長さのスリットを切り欠き部51として設けることで、電源筐体5および照明器具の意匠性をさらに高め、無線送受信部52の変形防止および照明器具の防塵対策を兼ねるように形成してもよい。
【００５５】
次に、図６を参照して第二の実施形態について説明する。
【００５６】
図６に示すような第二の実施形態では、電源筐体5の側面はアーム2の垂下部21にネジ止めされるなどして固定され、取付板11は本体1外縁部と接続されて背面側に突出して形成される。このとき取付板11は一対の垂下部21と接続する。図６に示すような第二の実施形態では、図１および図２に示すような実施形態とは異なり、取付板11は、脚部111・水平部112・取付部113を有さない。そのため図６に示すような第二の実施形態では、電源筐体5の前面は開口しておらず、電源筐体5の前面が、図１および図２における実施形態での水平部112にあたる。このような構造により、部材数を削減して器具の軽量化を図ってもよい。すなわち、図６に示すような第二の実施形態では、ケーブル孔56は電源筐体5の前面中央付近に設けられる。また、先述の切り欠き部51および無線送受信部52を配設する位置に関する変形例は、水平部112を、図６に示すような第二の実施形態においては、電源筐体5前面として設けても同様の効果が期待できる。
【００５７】
また、取付板11は、本体1と一体に押し出し形成などで形成されたものであってもよい。取付板11は、取付板11と本体1が接続される面はとくに本体1の側面ではなく、本体1の前面または背面の外縁部付近であってもよい。
【００５８】
本発明のいくつかの実施形態を説明したが、これらの実施形態は例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等に含まれる。
【符号の説明】
【００５９】
1…本体
11…取付板
111…脚部
112…水平部
113…取付部
2…アーム
21…垂下部
22…設置部
3…光源部
31…発光素子
4…放熱器
5…電源筐体
50…電源筐体延伸部
51…切り欠き部
52…無線送受信部
53…無線制御部
531…制御回路
532…整流平滑回路
54…電源装置
55…電源用端子
56…ケーブル孔
【図１】
2018147707.tif 000003
【図２】
2018147707.tif 000004
【図３】
2018147707.tif 000005
【図４】
2018147707.tif 000006
【図５】
2018147707.tif 000007
【図６】
2018147707.tif 000008